【手続補正書】
【提出日】平成28年8月18日(2016.8.18)
【手続補正１】
【補正対象書類名】明細書
【補正対象項目名】０００４
【補正方法】変更
【補正の内容】
【０００４】
しかしながら、例えば、２つの変動入賞装置を備え、一方の変動入賞装置の開放の後に他方の変動入賞装置を開放させ、他方の変動入賞装置の開放の後に一方の変動入賞装置を開放させるように構成した場合、一方の変動入賞装置に対する遊技球流入の有効期間が設定されている間は他方の変動入賞装置が開放しているが、他方の変動入賞装置の開放が短時間で終了すると、スムーズに変動入賞装置を変換させることができない場合があった。具体的には、例えば、他方の変動入賞装置の開放が短時間で終了して、一方の変動入賞装置に対する遊技球流入の有効期間が終了する前に他方の変動入賞装置が閉状態に変換された場合には、一方の変動入賞装置に対する遊技球流入の有効期間が終了するまでは、一方の変動入賞装置を開状態に変換させることができないため、スムーズに変動入賞装置を変換させることができなかった。
【手続補正２】
【補正対象書類名】明細書
【補正対象項目名】０００６
【補正方法】変更
【補正の内容】
【０００６】
上記課題を解決するため、請求項１に記載の発明は、
始動領域への遊技球の流入に基づいて実行される所定ゲームの結果が特別結果となった場合に、遊技者に所定の遊技価値を付与する所定回数のラウンドからなる特別遊技を実行可能な遊技機において、
前記特別遊技の実行に対応して閉状態と開状態とに変換可能な第１変動入賞装置と、
前記特別遊技の実行に対応して閉状態と開状態とに変換可能な第２変動入賞装置と、
前記第１変動入賞装置へ流入した遊技球を検出する第１遊技球検出手段と、
前記第２変動入賞装置へ流入した遊技球を検出する第２遊技球検出手段と、
前記第１遊技球検出手段による検出が有効である間にＯＮされる第１変動入賞装置作動信号を、前記第１変動入賞装置の開状態への変換に対応して信号出力領域に設定する第１変動入賞装置作動信号設定手段と、
前記特別遊技において前記第１変動入賞装置の開状態への変換後、所定条件を達成すると当該第１変動入賞装置を閉状態へと変換し、次のラウンドの開始に対応させて前記第２変動入賞装置の開状態への変換を行う入賞装置制御手段と、
前記第１変動入賞装置が閉状態に変換されてから所定時間が経過するまでを有効期間として設定する有効期間設定手段と、を備え、
前記入賞装置制御手段は、
前記第１変動入賞装置の開状態変換条件が成立したか否か判定する変換条件判定手段を有し、
当該変換条件判定手段によって前記第１変動入賞装置の開状態変換条件が成立したと判定された場合に、前記第１変動入賞装置を開状態へと変換し、
前記有効期間設定手段は、前記第１変動入賞装置の閉状態への変換時に当該第１変動入賞装置に対する前記有効期間を設定し、前記所定時間が経過する前に前記変換条件判定手段によって再び前記第１変動入賞装置の開状態変換条件が成立したと判定された場合には、当該所定時間の経過を待たずに当該設定した有効期間を強制終了させ、かつ、前記第１変動入賞装置作動信号をＯＦＦさせることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、
始動領域への遊技球の流入に基づいて実行される所定ゲームの結果が特別結果となった場合に、遊技者に所定の遊技価値を付与する所定回数のラウンドからなる特別遊技を実行可能な遊技機において、
前記特別遊技の実行に対応して閉状態と開状態とに変換可能な第１変動入賞装置と、
前記特別遊技の実行に対応して閉状態と開状態とに変換可能な第２変動入賞装置と、
前記第１変動入賞装置へ流入した遊技球を検出する第１遊技球検出手段と、
前記第２変動入賞装置へ流入した遊技球を検出する第２遊技球検出手段と、
前記第２遊技球検出手段による検出が有効である間にＯＮされる第２変動入賞装置作動信号を、前記第２変動入賞装置の開状態への変換に対応して信号出力領域に設定する第２変動入賞装置作動信号設定手段と、
前記特別遊技において前記第２変動入賞装置の開状態への変換後、所定条件を達成すると当該第２変動入賞装置を閉状態へと変換し、次のラウンドの開始に対応させて前記第１変動入賞装置の開状態への変換を行う入賞装置制御手段と、
前記第２変動入賞装置が閉状態に変換されてから所定時間が経過するまでを有効期間として設定する有効期間設定手段と、を備え、
前記入賞装置制御手段は、
前記第２変動入賞装置の開状態変換条件が成立したか否か判定する変換条件判定手段を有し、
当該変換条件判定手段によって前記第２変動入賞装置の開状態変換条件が成立したと判定された場合に、前記第２変動入賞装置を開状態へと変換し、
前記有効期間設定手段は、前記第２変動入賞装置の閉状態への変換時に当該第２変動入賞装置に対する前記有効期間を設定し、前記所定時間が経過する前に前記変換条件判定手段によって再び前記第２変動入賞装置の開状態変換条件が成立したと判定された場合には、当該所定時間の経過を待たずに当該設定した有効期間を強制終了させ、かつ、前記第２変動入賞装置作動信号をＯＦＦさせることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
始動領域への遊技球の流入に基づいて実行される所定ゲームの結果が特別結果となった場合に、遊技者に所定の遊技価値を付与する所定回数のラウンドからなる特別遊技を実行可能な遊技機において、
前記特別遊技の実行に対応して閉状態と開状態とに変換可能な第１変動入賞装置と、
前記特別遊技の実行に対応して閉状態と開状態とに変換可能な第２変動入賞装置と、
前記第１変動入賞装置へ流入した遊技球を検出する第１遊技球検出手段と、
前記第２変動入賞装置へ流入した遊技球を検出する第２遊技球検出手段と、
前記第１遊技球検出手段による検出が有効である間にＯＮされる第１変動入賞装置作動信号を、前記第１変動入賞装置の開状態への変換に対応して信号出力領域に設定する第１変動入賞装置作動信号設定手段と、
前記特別遊技において前記第１変動入賞装置の開状態への変換後、所定条件を達成すると当該第１変動入賞装置を閉状態へと変換し、次のラウンドの開始に対応させて前記第２変動入賞装置の開状態への変換を行う入賞装置制御手段と、
前記第１変動入賞装置が閉状態に変換されてから所定時間が経過するまでを有効期間として設定する有効期間設定手段と、を備え、
前記入賞装置制御手段は、
前記第１変動入賞装置の開状態変換条件が成立したか否か判定する変換条件判定手段を有し、
当該変換条件判定手段によって前記第１変動入賞装置の開状態変換条件が成立したと判定された場合に、前記第１変動入賞装置を開状態へと変換し、
前記有効期間設定手段は、前記第１変動入賞装置の閉状態への変換時に当該第１変動入賞装置に対する前記有効期間を設定し、前記所定時間が経過する前に前記変換条件判定手段によって再び前記第１変動入賞装置の開状態変換条件が成立したと判定された場合には、当該所定時間の経過を待たずに当該設定した有効期間を強制終了させ、かつ、前記第１変動入賞装置作動信号をＯＦＦさせることを特徴とする遊技機。
【請求項２】
始動領域への遊技球の流入に基づいて実行される所定ゲームの結果が特別結果となった場合に、遊技者に所定の遊技価値を付与する所定回数のラウンドからなる特別遊技を実行可能な遊技機において、
前記特別遊技の実行に対応して閉状態と開状態とに変換可能な第１変動入賞装置と、
前記特別遊技の実行に対応して閉状態と開状態とに変換可能な第２変動入賞装置と、
前記第１変動入賞装置へ流入した遊技球を検出する第１遊技球検出手段と、
前記第２変動入賞装置へ流入した遊技球を検出する第２遊技球検出手段と、
前記第２遊技球検出手段による検出が有効である間にＯＮされる第２変動入賞装置作動信号を、前記第２変動入賞装置の開状態への変換に対応して信号出力領域に設定する第２変動入賞装置作動信号設定手段と、
前記特別遊技において前記第２変動入賞装置の開状態への変換後、所定条件を達成すると当該第２変動入賞装置を閉状態へと変換し、次のラウンドの開始に対応させて前記第１変動入賞装置の開状態への変換を行う入賞装置制御手段と、
前記第２変動入賞装置が閉状態に変換されてから所定時間が経過するまでを有効期間として設定する有効期間設定手段と、を備え、
前記入賞装置制御手段は、
前記第２変動入賞装置の開状態変換条件が成立したか否か判定する変換条件判定手段を有し、
当該変換条件判定手段によって前記第２変動入賞装置の開状態変換条件が成立したと判定された場合に、前記第２変動入賞装置を開状態へと変換し、
前記有効期間設定手段は、前記第２変動入賞装置の閉状態への変換時に当該第２変動入賞装置に対する前記有効期間を設定し、前記所定時間が経過する前に前記変換条件判定手段によって再び前記第２変動入賞装置の開状態変換条件が成立したと判定された場合には、当該所定時間の経過を待たずに当該設定した有効期間を強制終了させ、かつ、前記第２変動入賞装置作動信号をＯＦＦさせることを特徴とする遊技機。